(57)【要約】【課題】コンデンサの性能劣化が始まると予想される条件を検出する機構を設け、コンデンサの性能劣化が始まると予想される条件が満たされた場合に充電や放電を制限できるようにすること。【解決手段】充電装置は、コンデンサ（１６）の充電量を監視する充電量取得手段を有し、前記充電量手段により充電量を複数回取得し、前記複数回取得された充電量の差異に基づいて前記コンデンサの状態を判定し、前記コンデンサへの電気回路動作を制限する。【選択図】図１
2017062275.tif 000002
【特許請求の範囲】
【請求項１】
コンデンサの充電量を監視する充電量取得手段を有し、
前記充電量手段により充電量を複数回取得し、
前記複数回取得された充電量の差異に基づいて前記コンデンサの状態を判定し、
前記コンデンサへの電気回路動作を制限することを特徴とする充電装置。
【請求項２】
前記複数回取得された充電量に基づいて前記コンデンサのリーク電流を計算することを特徴とする請求項１に記載の充電装置。
【請求項３】
前記充電量は、前記コンデンサに充電された充電電圧をモニタすることによって取得されることを特徴とする請求項１又は請求項２に記載の充電装置。
【請求項４】
前記コンデンサの近傍に温度計を有し、
前記温度計が第１の設定温度以上である場合に、前記充電量の取得を開始することを特徴とする請求項１乃至請求項３の何れか一項に記載の充電装置。
【請求項５】
前記コンデンサの電圧が所定電圧以上である場合に、前記コンデンサの状態の判定を開始することを特徴とする請求項１乃至請求項４の何れか一項に記載の充電装置。
【請求項６】
前記温度計の温度が前記第１の設定温度とは異なる第２の温度以上である場合に、前記コンデンサに対する電気回路動作を制限することを特徴とする請求項４又は請求項５に記載の充電装置。
【請求項７】
前記複数回取得された充電量を比較する場合に、充電量比較手段への通電を許可する切り替え回路を有することを特徴とする請求項１乃至請求項６の何れか一項に記載の充電装置。
【請求項８】
前記コンデンサに対する電気回路動作を制限した後、前記複数回取得した充電量の差異に基づいて前記コンデンサの状態を判定し、前記コンデンサに対する電気回路動作の制限を解除することを特徴とする請求項１乃至請求項７の何れか一項に記載の充電装置。
【請求項９】
前記コンデンサに対する電気回路動作を制限した後、前記温度計が前記第１の設定温度、あるいは、前記第１の設定温度とは異なる第３の温度以下である場合に、前記コンデンサに対する電気回路動作の制限を解除することを特徴とする請求項１乃至請求項８の何れか一項に記載の充電装置。
【発明の詳細な説明】
【技術分野】
【０００１】
本発明は、ストロボ用のコンデンサを充電することができる充電装置に関する。
【背景技術】
【０００２】
従来コンデンサは、化学反応によってその充電容量を実現しているので、充電電荷の量に応じて内部に化学反応したガスが発生している。高温下では、化学反応が過剰に進みコンデンサ内部のガスが大量に発生するため、防爆弁等よりガスが抜けてしまい、著しく性能が低下してしまう。特に、高温下での充電や、高温下でのストロボ発光による放電が行われると、コンデンサ自体の性能を劣化せざるをえなかった。
【０００３】
特許文献１には、周囲の環境温度が変化しても誤発光することのないストロボ装置が記載されている。
【先行技術文献】
【特許文献】
【０００４】
【特許文献１】特開２００２−３１１４８０号公報
【発明の概要】
【発明が解決しようとする課題】
【０００５】
過充電電圧の判定を温度によって行う場合は、個々のコンデンサの特性と合っていない可能性があるという問題がある。量産されるコンデンサそれぞれにとっての過充電の電圧は、コンデンサ固体によって異なるため、量産製造されるバラツキの範囲内で一番低い温度の固体に合わせて制限をかけなくてはならない。
【０００６】
また、温度検知回路にもバラツキが生じ、温度を低めに示す回路に合わせなければならず、過剰に厳しい設定値で制限をかけなければならない。
【０００７】
そこで、本発明は、コンデンサの性能劣化が始まると予想される条件を検出する機構を設け、コンデンサの性能劣化が始まると予想される条件が満たされた場合に充電や放電を制限できるようにすることを目的とする。
【課題を解決するための手段】
【０００８】
上記の目的を達成するために、本発明に係る充電装置は、
コンデンサの充電量を監視する充電量取得手段を有し、前記充電量手段により充電量を複数回取得し、前記複数回取得された充電量の差異に基づいて前記コンデンサの状態を判定し、前記コンデンサへの電気回路動作を制限することを特徴とする。
【発明の効果】
【０００９】
本発明に係る充電装置によれば、コンデンサの性能劣化が始まると予想される条件を検出する機構を設け、コンデンサの性能劣化が始まると予想される条件が満たされた場合に充電や放電を制限できるようにすることができる。
【図面の簡単な説明】
【００１０】
【図１】実施形態１における撮像装置が有するコンデンサ充電装置の構成の一例を説明するための図である。
【図２】コンデンサ１６の電荷リークの特性の一例を示す図である。
【図３】特定温度におけるコンデンサ１６の電荷リークの固体差の一例を説明するための図である。
【図４Ａ】実施形態１における撮像装置の斜視図の一例である。
【図４Ｂ】実施形態１における撮像装置の斜視図の他の一例である。
【図５Ａ】実施形態１におけるコンデンサ充電装置の動作を説明するためのフローチャートである。
【図５Ｂ】実施形態１におけるコンデンサ充電装置の動作を説明するためのフローチャートである。
【図５Ｃ】実施形態１におけるコンデンサ充電装置の動作を説明するためのフローチャートである。
【図５Ｄ】実施形態１におけるコンデンサ充電装置の動作を説明するためのフローチャートである。
【図６Ａ】実施形態２におけるコンデンサ充電装置の動作を説明するためのフローチャートである。
【図６Ｂ】実施形態２におけるコンデンサ充電装置の動作を説明するためのフローチャートである。
【図７】実施形態３における撮像装置が有するコンデンサ充電装置の構成の一例を説明するための図である。
【図８】実施形態３におけるコンデンサ充電装置の動作を説明するためのフローチャートである。
【図９】実施形態４におけるコンデンサ充電装置の動作を説明するためのフローチャートである。
【発明を実施するための形態】
【００１１】
以下、図面を参照して本発明の実施形態を説明する。ただし、本発明の実施形態は以下の実施形態に限定されるものではない。
【００１２】
［実施形態１］
以下、図１を参照して、実施形態１における撮像装置が有するコンデンサ充電装置の構成の一例を説明する。実施形態１における撮像装置は、例えば、デジタルカメラである。
【００１３】
図１において、１１は、電池であり８〜１２［Ｖ］の電圧をもつような電池が接続される。１２は、昇圧部であり、電池１１の電圧をストロボ発光できる電圧であるところの３３０「Ｖ」程度に昇圧する。１３は、図１に示すコンデンサ充電装置を制御するとともに、これらがのった撮像装置全般も制御する制御マイコンであるＭＰＵである。１４は、電圧計測部で、１２で昇圧された電圧を計測したり、後述のコンデンサ１６の電圧を計測したりして、ＭＰＵ１３に計測値を送信している。
【００１４】
１５は、漏れ防止部であり、コンデンサ１６に充電された電荷が漏れ防止１５よりも前段に流れ込むことを防止している。通常ダイオードなどが利用される。１６は、ストロボ用のコンデンサであり、化学反応を用いるコンデンサが用いられる。１７は、ストロボ発光部で、コンデンサ１６に充電された電荷を印加することで発光する。
【００１５】
１８は、計測用スイッチで、コンデンサ１６に充電されている電圧を電圧計測部１４で計測したい場合にオンし、オンしている場合に電圧計測部１４とコンデンサ１６の電圧を等価にする。
【００１６】
図２はコンデンサ１６に使われる個別のサンプルＡの環境温度と電荷リークの関係例を示したグラフである。
【００１７】
図１のコンデンサ１６にサンプルＡを実装し、３３０［Ｖ］まで充電を行った後、昇圧部１２を停止させスイッチ１８をオフし、ストロボ発光部１７もオフの状態で放置している。
【００１８】
このグラフでは、環境温度２５℃の場合、ｔ０で３３０［Ｖ］であった電圧が、ｔ５では、３２５［Ｖ］になっていることを示している。つまりｔ０からｔ５の間にサンプルＡは５［Ｖ］電圧降下する分の電荷がリークしたことになる。
【００１９】
これが環境温度４５℃であれば、ｔ５では３１０［Ｖ］であり、ｔ０からｔ５の間にサンプルＡは２０［Ｖ］電圧降下する分の電荷がリークした事を示している。
【００２０】
これをみると、環境温度６０℃では、ｔ５で２８０［Ｖ］であり、ｔ０からｔ５の間にサンプルＡは５０［Ｖ］電圧降下する分の電荷がリークした事を示している。
【００２１】
このように本出願人の測定では、温度が上昇すると、コンデンサの電荷のリークが増えることがわかっている。
【００２２】
６０℃からさらに１０℃あがった環境温度７０℃では、ｔ５で２３０［Ｖ］であり、ｔ０からｔ５の間にサンプルＡは１００［Ｖ］電圧降下する分の電荷がリークしており、６０℃から１０℃上昇しただけで、電荷のリークは２倍になっていることがわかる。
【００２３】
このように、サンプルＡは、７０℃近辺で極端に電荷のリークが増えている。この状態は、サンプルＡのコンデンサの化学反応が進んでコンデンサ内部にガスが多く発生している。もしこの状態で、さらに充電や放電をすると、コンデンサの性能を著しく損なう状態であることが本出願人の測定の結果わかっている。
【００２４】
本出願人は、この状態のコンデンサの電荷リークの傾きをγと定義し、この状態より良くない状態すなわちγ以上の傾きの場合、コンデンサ１６の充電・放電を制限する規格として規定した。
【００２５】
図３はコンデンサ１６として、サンプルＡ〜Ｊの１０個のサンプルについてリークの傾きがγとなる温度を測定した例である。
【００２６】
サンプルの固体によって６８℃から７２℃の間でばらつくことが確認できる。
【００２７】
つまり、本出願人の規定した規格では、サンプルＤのコンデンサであれば７２℃になる直前まで充電・放電が可能であるが、サンプルＢのコンデンサであると、６８℃になる直前で充電・放電を制限しなくてはならない。
【００２８】
ところで、最近の撮像装置は、動画と静止画の両方を撮影できるように設計されている。動画撮影においてストロボを発光させることは無いが、稀に動画撮影中に静止画を撮影したい場合がある。このときのためにコンデンサ１６に充電し続けることがある。この状態の説明のため図４Ａ及び図４Ｂを用いて説明する。
【００２９】
図４Ａは実施形態１における撮像装置の斜視図の一例である。図４Ｂは実施形態１における撮像装置の斜視図の他の一例である。
【００３０】
図４Ａはストロボ撮影しない場合の状態である。２０が撮像装置。２１はストロボユニット部。２２は表示部。２３はストロボボタンであり、このボタンを押すと、ストロボユニット２１が、上昇してストロボ発光準備状態になる。
【００３１】
２４はシャッターボタンである。動画撮影のみなら、ストロボ発光は必要無いので、ストロボボタン２３、シャッターボタン２４は押さずに図示しない動画撮影ボタンを押すことで動画撮影が開始される。この場合、図１の回路は動作せず、コンデンサ１６にも充電されない。
【００３２】
撮影者がストロボボタン２３を押した場合の撮像装置の状態を図４Ｂに示して説明する。
【００３３】
ストロボボタン２３がおされるとストロボユニット２１が上昇し、ストロボ発光部１７が、撮像装置２０の上部に露出する。
【００３４】
この状態は、撮影者がストロボ発行を伴う撮影を行いたいという意志があるとＭＰＵ１３は判定し、図１のコンデンサ充電装置を動作させ、コンデンサ１６が３３０Ｖになるまで充電する。
【００３５】
さらに、シャッタースイッチ２４が押されれば、待機状態であれ、動画撮影中であれ、静止画撮影を優先的に行い、ストロボ１７も発光する。
【００３６】
２０〜３０℃といった環境で図４Ｂに示す状態にした場合のＭＰＵ１３のシーケンスを図５Ａ〜図５Ｄを用いて説明する。
【００３７】
図５Ａはシーケンスの概略を示すフローチャートである。
【００３８】
ストロボボタン２３がおされると充電制御が開始される（Ｓ０）。まず、コンデンサ１６を一気に充電するため、次の図５Ｂで説明する急速充電制御が行われる（Ｓ１）。３３０Ｖに充電されると、図５Ｃで詳細を説明するリーク分補完充電制御に入る（Ｓ２）。リーク分の補完が終わると、発光を待ち（Ｓ３）、もし発光するのであれば（ＹＥＳ）、発光動作へ移行し（Ｓ４）、発光しないのであれば、リーク分の補完が必要ないか確認するため（ＮＯ）、再度リーク分補完充電制御へ（Ｓ２）と戻る。
【００３９】
次に、図５Ｂの急速充電制御の詳細をフローチャートを用いて説明する。
【００４０】
急速充電制御が開始（Ｓ１００）されると、ＭＰＵ１３は充電制御を開始し、昇圧部１２を動作させる（Ｓ１０１）。昇圧された電荷は、電圧計測部１４にモニタされながら（Ｓ１０３）、漏れ防止部１５を通過し、コンデンサ１６に充電される。電圧計測部１４でモニタされた値（Ｓ１０４）が３３０Ｖを超えていたら（ＹＥＳ）、充電完了（Ｓ１０５）となり、３３０Ｖを超えていない場合（ＮＯ）、再度昇圧動作を行う（Ｓ１０２）。
【００４１】
次に、Ｓ１０５で３３０Ｖになったあとの動作のリーク分補完充電制御（Ｓ２）について、詳細をフローチャートを用いて説明する。
【００４２】
静止画撮影の待機状態であれ、動画撮影中であれ、ストロボ発光を行わなくとも、図２で説明したように、コンデンサ１６の電荷は時間とともにリークしていく。そのため、リーク分補完充電制御が必要となる（Ｓ２００）。このとき、時間ごとの電荷リークをモニタするためタイマーを使う。まずｔを０にリセットしタイマーをスタートさせる（Ｓ２０１）。次に、ｔ＝ｔ１の場合、電圧計測部１４でモニタした電圧ｖをＶ１として取得する（Ｓ２０２）。次に、ｔ＝ｔ２の場合、電圧計測部１４でモニタした電圧ｖをＶ２として取得する（Ｓ２０３）。
【００４３】
Ｖ１の電圧とＶ２の電圧の差分をＶｃとして取得し（Ｓ２０４）、この値Ｖｃが規格値Ｖｘより大きい場合（ＹＥＳ）は、電荷リークが多いと判定し、充電・放電制限制御Ｓ２１０へと移動する。
【００４４】
もし、この値Ｖｃが所定の規格値Ｖｘより小さい場合（ＮＯ）は、電荷のリークは少ないと判定し、次の補完昇圧動作（Ｓ２０６）へ行く。補完昇圧動作は、急速充電制御（Ｓ１）の昇圧動作（Ｓ１０２）とほぼ同じ動作を行う。電圧モニタ（Ｓ２０７）も急速充電制御（Ｓ１）の電圧モニタ（Ｓ１０３）とほぼ同じ動作を行う。
【００４５】
Ｖｘの値は、図２での規格の考え方からいくと傾きγのカーブのｔ１とｔ２の電圧の差は２０Ｖであったので、この例でいけばＶｘ＝２０［Ｖ］となる。
【００４６】
電圧計測部１４でモニタされた値（Ｓ２０７）が３３０Ｖを超えていたら（ＹＥＳ）、リーク分補完充電完了（Ｓ２０９）となり、３３０Ｖを超えていない場合（ＮＯ）、再度リーク分補完充電動作を行って良いか確認に行く（Ｓ２０１）。
【００４７】
次に、図５Ｄで、Ｓ２１０で充電・放電制限制御の詳細をフローチャートを用いて説明する。
【００４８】
このモードに入ると、ＭＰＵ１３は充電制御、発光制御を禁止し、シャッターボタン２４が押されてもストロボ動作には入れないよう昇圧部１２，ストロボ発光部１７の動作を禁止する（Ｓ２１１）。ついで、表示部２２に「ストロボ発光は、使用出来ません」と表示する。この実施形態は、撮像装置２０の上面の表示部材に表示する場合を説明しているが、背面にあるモニタ画面用の大画面などに表示してもよい。
【００４９】
次に、一度制限した動作を復帰できるかどうかの判定モードへと入る。これもまた時間ごとの電荷リークをモニタするためタイマーを使う。まずｔを０にリセットしタイマーをスタートさせる（Ｓ２１３）。次に、ｔ＝ｔ１の場合、電圧計測部１４でモニタした電圧ｖをＶ１として取得する（Ｓ２１４）。次に、ｔ＝ｔ２の場合、電圧計測部１４でモニタした電圧ｖをＶ２として取得する（Ｓ２１５）。
【００５０】
Ｖ１の電圧とＶ２の電圧の差分をＶｃとして取得し（Ｓ２１６）、この値Ｖｃが規格値Ｖｘ−１０Ｖより大きい場合（ＹＥＳ）は、電荷リークが多いと判定し、充電・放電制限制御をつづけるため、再度判定モードへ戻る（Ｓ２１３）。なお、ここでＶｘに１０Ｖを付けているのは、一度規格値Ｖｘを超えたコンデンサの状態が良好な状態にもどるためのヒステリシスを構成している。図２の例でいえば、この場合のＶｃは３０Ｖとなる。
【００５１】
もし、この値Ｖｃが所定の規格値Ｖｘ−１０Ｖより小さい場合（ＮＯ）は、電荷のリークが少なくなり改善したと判定し、制限モードから復帰する。
【００５２】
表示部２２に「ストロボ発光は、使用出来ません」と表示していたものを消灯する（Ｓ２１８）。そして、ＭＰＵ１３は、充電制御、発光制御の禁止を解除し、シャッターボタン２４が押されるとストロボ動作に入れるよう昇圧部１２，ストロボ発光部１７の動作を許可する（Ｓ２１９）。その後は、図５Ｃの補完昇圧動作（Ｓ２０６）へと戻る。
【００５３】
［実施形態２］
以下、実施形態２における撮像装置が有するコンデンサ充電装置を説明する。
【００５４】
実施形態１では、説明を簡単化するために温度が２０〜３０℃である場合を説明した。実施形態２では、温度の条件が厳しい場合に対応したコンデンサ充電装置を有する撮像装置について説明する。
【００５５】
なお、撮像装置のハード構成は図１、図４Ａ及び図４Ｂと同等であり、コンデンサ１６の特性も図２及び図３と同等であり、ＭＰＵ１３の制御が異なる。
【００５６】
実際には、撮像装置は３０℃以上の環境下で撮影されたり、長時間の動画撮影等によって、撮像装置内部が温度上昇していたりする場合がある。
【００５７】
このような場合、充電開始初期後の制御を図５Ａの急速充電制御（Ｓ１）ではなく、リーク分補完充電制御（Ｓ２）に置き換えて行うことで規格を超えないよう制御することで対応することが可能である。
【００５８】
ところが、初期から、タイマーを使っての電荷リークを確認していると、充電に時間がかかるという問題が生じてしまう。また、コンデンサ１６も、耐圧付近の３３０Ｖ程度であれば、図２に示したようなリークの特性を示すが、１００Ｖに満たないような電圧で合った場合は、電圧計測部１４で検出できるような電圧の減少を検知できないことが本出願人の測定によってわかっている。
【００５９】
そこで、ある特定の電圧までは実施形態１と同等の急速充電を行い、ある電圧以上になって、リーク分補完充電制御にはいる方法をとることで、実現できる。
【００６０】
図６Ａは実施形態２のコンデンサ１６がある電圧以下の場合の充電を示すフローチャートである。
【００６１】
ストロボボタン２３が押されると急速充電制御からスタートする（Ｓ３００）。
【００６２】
急速充電制御が開始（Ｓ３０１）されると、ＭＰＵ１３は充電制御を開始し、昇圧部１２を動作させる（Ｓ３０２）。昇圧された電荷は、電圧計測部１４にモニタされながら（Ｓ３０３）、漏れ防止部１５を通過し、コンデンサ１６に充電される。電圧計測部１４でモニタされた値を判定し（Ｓ３０４）が２００Ｖを超えていたら（ＹＥＳ）高電圧リーク判定制御へ移行する（Ｓ３０５）となり、３００Ｖを超えていない場合（ＮＯ）、再度昇圧動作を行う（Ｓ３０２）。
【００６３】
図６Ｂは図６Ａで高電圧リーク判定制御へはいった際のフローチャートである。
【００６４】
高電圧リーク判定制御（Ｓ３０５）は、実施形態１のリーク分補完充電制御（Ｓ２）とほぼ同じ動作となる。
【００６５】
時間ごとの電荷リークをモニタするためタイマーを使う。まずｔを０にリセットしタイマーをスタートさせる（Ｓ３０６）。次に、ｔ＝ｔ１の場合、電圧計測部１４でモニタした電圧ｖをＶ１として取得する（Ｓ３０７）。次に、ｔ＝ｔ２の場合、電圧計測部１４でモニタした電圧ｖをＶ２として取得する（Ｓ３０８）。
【００６６】
Ｖ１の電圧とＶ２の電圧の差分をＶｃとして取得し（Ｓ３０９）、この値Ｖｃが規格値Ｖｘより大きい場合（ＹＥＳ）は、電荷リークが多いと判定し、充電・放電制限制御Ｓ２１０へと移動する。
【００６７】
もし、この値Ｖｃが所定の規格値Ｖｘより小さい場合（ＮＯ）は、電荷のリークは少ないと判定し、次の昇圧動作（Ｓ３１１）へいき、実施形態１の昇圧動作（Ｓ１０２）とほぼ同じ動作を行う。電圧モニタ（Ｓ３１２）も急速充電制御（Ｓ１）の電圧モニタ（Ｓ１０３）とほぼ同じ動作を行う。
【００６８】
Ｖｘの値は、図２での規格の考え方からいくとＶｘ＝２０［Ｖ］となる。
【００６９】
電圧計測部１４でモニタされた値（Ｓ３１３）が３３０Ｖを超えていたら（ＹＥＳ）、高電圧充電制御完了（Ｓ３１４）となり、３３０Ｖを超えていない場合（ＮＯ）、再度高電圧充電制御を行って良いか確認に行く（Ｓ３０６）。
【００７０】
充電完了後のリーク分補完充電制御（Ｓ２）や、発光（Ｓ３）については実施形態と同様であるので、説明は省略する。
【００７１】
［実施形態３］
実施形態２では、２００Ｖ以上の場合からコンデンサ１６の電荷リークを測定することで、温度の条件が厳しい場合に対応したコンデンサ充電装置を有する撮像装置について説明したが、やはり２００Ｖ以上の充電に時間がかかることは免れない。
【００７２】
実施形態３では、温度計も併用することで、さらに効率的なコンデンサ充電装置を説明する。
【００７３】
図７は図１のコンデンサ充電装置のＭＰＵ１３に温度計１９が追加で接続されているところが変わっている。
【００７４】
実施形態３のＭＰＵ１３の制御を図８のフローチャートを用いて説明する。２００Ｖまでの充電は実施形態２と同様である。
【００７５】
ストロボボタン２３が押されると急速充電制御からスタートする（Ｓ４００）。
【００７６】
急速充電制御が開始（Ｓ４０１）されると、ＭＰＵ１３は充電制御を開始し、昇圧部１２を動作させる（Ｓ４０２）。昇圧された電荷は、電圧計測部１４にモニタされながら（Ｓ４０３）、漏れ防止部１５を通過し、コンデンサ１６に充電される。電圧計測部１４でモニタされた値を判定し（Ｓ４０４）が２００Ｖを超えていたら（ＹＥＳ）温度判定へ移行する（Ｓ４０５）。２００Ｖを超えていない場合（ＮＯ）、再度昇圧動作を行う（Ｓ４０２）。
【００７７】
温度判定（Ｓ４０５）では、６０℃を超えた場合、実施形態２と同様の高電圧リーク判定（Ｓ３０５）へと進み、実施形態３と同様の制御で充電する。６０℃以下で合った場合は、３３０Ｖまで充電がかのうであるので、通常の昇圧動作（Ｓ４０６）へと進み、電圧モニタする（Ｓ４０７）。
【００７８】
電圧計測部１４でモニタされた値が３３０Ｖを超えていたら（ＹＥＳ）、急速充電制御完了（Ｓ４０９）となり、リーク補完充電制御（Ｓ３）へと行く。３３０Ｖを超えていない場合（ＮＯ）、再度充電制御を行って良いか温度確認に行く（Ｓ４０５）。
【００７９】
リーク補完充電制御（Ｓ３）も実施形態１、実施形態２と同様なので、説明を省略する。
【００８０】
［実施形態４］
実施形態４は、当初から撮像装置の温度が高くなっている場合を考慮した設計の例である。
【００８１】
図９は実施形態４のフローチャートであり、実施形態３でいうところの充電開始（Ｓ４０１）のあと、直ちに温度確認を行う点が大きくことなる。
【００８２】
温度計の温度が７２℃より高い場合（ＹＥＳ）であれば充電・放電制限制御へ行く（Ｓ２１０）。
【００８３】
温度計が７２℃以下の場合（ＮＯ）、通常の昇圧動作（Ｓ４０２）へ行く。それ以外は実施形態３と同様なので説明を省略する。
【００８４】
ＭＰＵ１３が温度確認に時間がかからない場合、より早く温度を調べることで充電・放電制限制御（Ｓ２１０）へ移行することが可能となる。
【符号の説明】
【００８５】
１１  電池、１２  昇圧部、１３  ＭＰＵ、１４  電圧計測部、
１５  漏れ防止部（Ｄｉ）、１６  コンデンサ、１７  ストロボ発光部、
１８  計測用スイッチ、１９  温度計、２０  撮像装置、２１  ストロボユニット、
２２  表示部、２３  ストロボスイッチ、２４  シャッタースイッチ
【図２】
2017062275.tif 000003
【図３】
2017062275.tif 000004
【図１】
2017062275.tif 000005
【図４Ａ】
2017062275.tif 000006
【図４Ｂ】
2017062275.tif 000007
【図５Ａ】
2017062275.tif 000008
【図５Ｂ】
2017062275.tif 000009
【図５Ｃ】
2017062275.tif 000010
【図５Ｄ】
2017062275.tif 000011
【図６Ａ】
2017062275.tif 000012
【図６Ｂ】
2017062275.tif 000013
【図７】
2017062275.tif 000014
【図８】
2017062275.tif 000015
【図９】
2017062275.tif 000016